(57)【要約】ドリル１は、先端に設けられた先端切れ刃９と、先端切れ刃９の後方に連なるメイン切れ刃１０とを備える。先端切れ刃９の先端角は所定の鋭角であり、メイン切れ刃１０の先端角は、メイン切れ刃の前端から後端にかけて減少している。メイン切れ刃１０の前端の先端角は、先端切れ刃９の先端角よりも大きい鋭角を有する。
2017222011.tif 000002
【特許請求の範囲】
【請求項１】
先端に設けられた先端切れ刃と、該先端切れ刃の後方に連なるメイン切れ刃とを備えたドリルであって、
前記先端切れ刃の先端角は所定の鋭角であり、
前記メイン切れ刃の先端角は、該メイン切れ刃の前端から後端にかけて減少しており、
前記メイン切れ刃の前端の先端角は、前記先端切れ刃の先端角よりも大きい鋭角を有するドリル。
【請求項２】
前記メイン切れ刃は、先端側から第１部分、第２部分及び第３部分で構成され、
前記第１部分は一定の第１先端角を有し、
前記第２部分は、前記第１部分よりも小さい一定の第２先端角を有し、
前記第３部分は、前記第２先端角又はこれより小さい角度から後端にかけて連続的に減少する第３先端角を有する請求項１に記載のドリル。
【請求項３】
前記メイン切れ刃の先端角は、該メイン切れ刃の先端から後端にかけて連続的に減少している請求項１に記載のドリル。
【請求項４】
前記先端切れ刃の先端角は、３０°〜５０°であり、
前記メイン切れ刃の前端の先端角は６０°〜９０°である請求項１に記載のドリル。
【発明の詳細な説明】
【技術分野】
【０００１】
本発明は、先端に設けられた先端切れ刃とその後方に連なるメイン切れ刃とを備えたドリルに関する。
【背景技術】
【０００２】
従来、切れ刃の先端角が、切れ刃の先端から後端にかけて減少しているドリルが知られている（例えば、特許文献１及び２参照）。特許文献１のドリルでは、切れ刃の先端角が鋭角であって、先端角が２段階で減少しており、先端側の先端角を７０°程度として、後端側の先端角を２０°程度としている。【０００３】
これによれば、壁材に貫通した穿孔を設ける際に、穿孔の大半は先端角の大きい切れ刃の先端側によって能率的に切削を行い、最終段階において、先端角の小さい切れ刃の後端側によって、破断を生じさせることなく切り拡げて正確な貫通孔を設けることができるとされている。【０００４】
また、特許文献２のドリルでは、切れ刃の先端角が切れ刃の先端（中心位置）から後端（最大径位置）にかけて連続的に（滑らかに）減少するとともに、切れ刃の逃げ角が中心位置から最大径位置にかけて連続的に減少している。これによれば、切れ刃の耐摩耗性を向上させながら、最大径位置においてリーミング用の切刃部を形成し、切れ刃によるリーマ仕上げができるとされている。
【先行技術文献】
【特許文献】
【０００５】
【特許文献１】実開昭６４−５０９１１号公報
【特許文献２】特開２０１２−１３５８７３号公報
【発明の概要】
【発明が解決しようとする課題】
【０００６】
しかしながら、上記特許文献１及び２のドリルは、例えば、医療の現場で骨などを対象として穿孔を設ける場合には不適当な場合がある。【０００７】
すなわち、大腿骨に穿孔する場合には、大腿骨軸に対してドリル軸が３０°程度の角度を成すような強斜位で穿孔しなければならない場合がある。このような場合、上記特許文献１及び２のドリルによれば、ハンドドリルに取り付けて穿孔を開始するときにドリルを回転させると、ドリルの切れ刃によって骨の表面が蹴られるので、正しい穿孔位置にドリルを位置決めして穿孔を開始するのが困難である。【０００８】
本発明の目的は、かかる従来技術の問題点に鑑み、強斜位で穿孔を行う場合でも、支障なく穿孔位置に位置決めして穿孔を開始できるドリルを提供することにある。
【課題を解決するための手段】
【０００９】
第１発明のドリルは、
先端に設けられた先端切れ刃と、該先端切れ刃の後方に連なるメイン切れ刃とを備えたドリルであって、
前記先端切れ刃の先端角は所定の鋭角であり、
前記メイン切れ刃の先端角は、該メイン切れ刃の前端から後端にかけて減少しており、
前記メイン切れ刃の前端の先端角は、前記先端切れ刃の先端角よりも大きい鋭角を有することを特徴とする。【００１０】
第１発明によれば、鋭角であるメイン切れ刃の前端の先端角よりも小さい先端角を有する先端切れ刃を先端に有するので、穿孔対象物の穿孔開始位置に対してドリルの先端を位置決めするときに、メイン切れ刃が穿孔対象物に接触しないようなドリルの進入角度（穿孔対象物の表面とドリル軸のなす角度）であれば、その先端を、穿孔開始位置に確実に位置決めして穿孔を開始することができる。【００１１】
また、メイン切れ刃の先端角は、前端から後端にかけて、上記の鋭角からさらに減少しているので、上記の接触しないドリルの進入角度が所望の小さい角度、例えば３０°以下となるようにドリルを容易に構成することができる。【００１２】
したがって、先端切れ刃とメイン切れ刃の先端角や寸法を、上記発明の構成に従った範囲内で適切に選定することにより、強斜位で穿孔を行う場合でも支障なく位置決めして穿孔を開始できるドリルを容易に提供することができる。【００１３】
さらに、このドリルによれば、穿孔の開始時には、先端切れ刃の切削により穿孔位置に対するドリルの先端位置を確実に確保しつつ、その後の切削を、メイン切れ刃による切削に引き継ぐことができる。メイン切れ刃による切削では、先端角がより大きいメイン切れ刃の前端により良好に穿孔を促進し、さらに、先端角が小さいメイン切れ刃の後端部分によって、高い精度で穿孔の仕上げを行うことができる。【００１４】
第２発明のドリルは、第１発明において、
前記メイン切れ刃は、先端側から第１部分、第２部分及び第３部分で構成され、
前記第１部分は一定の第１先端角を有し、
前記第２部分は、前記第１部分よりも小さい一定の第２先端角を有し、
前記第３部分は、前記第２先端角又はこれより小さい角度から後端にかけて連続的に減少する第３先端角を有することを特徴とする。【００１５】
第２発明によれば、メイン切れ刃の第１部分及び第２部分はそれぞれ一定の先端角を有するので、メイン切れ刃を容易に加工して形成することができる。また、メイン切れ刃の第３部分の第３先端角は、連続的に減少しているので、第３部分による穿孔の仕上げを高い精度で行うことができる。【００１６】
第３発明のドリルは、第１発明において、前記メイン切れ刃の先端角は、該メイン切れ刃の先端から後端にかけて連続的に減少していることを特徴とする。【００１７】
第３発明によれば、メイン切れ刃における先端角の大きい先端側で穿孔の切削を効率的に促進するとともに、先端角の小さい後端側で穿孔を精密に仕上げることができる。また、メイン切れ刃に欠損や摩耗が生じ易い角部が存在しないので、メイン切れ刃の耐久性を向上させることができる。【００１８】
第４発明のドリルは、第１〜第３のいずれかの発明において、
前記先端切れ刃の先端角は、３０°〜５０°であり、前記メイン切れ刃の前端の先端角は６０°〜９０°であることを特徴とする。【００１９】
第４発明によれば、ドリルの進入角度がある程度小さい場合でも、メイン切れ刃を穿孔対象物に接触させることなく、ドリルの先端を穿孔位置に対して確実に位置決めして穿孔を開始することができるドリルを、より容易に提供することができる。
【図面の簡単な説明】
【００２０】
【図１】本発明の一実施形態に係るドリルの正面図である。
【図２】図１のドリルの先端部の正面図である。
【図３】図１のドリルの先端部の側面図である。
【図４】図１のドリルの先端部の平面図である。
【図５】図１のドリルの先端切れ刃の逃げ角を示す断面図である。
【発明を実施するための形態】
【００２１】
以下、図面を用いて本発明の実施形態を説明する。本発明の一実施形態に係るドリル１は、図１に示すように、ドリルチャックにドリル１を取り付けるためのシャンク２と、シャンク２よりも先端側に位置するボディ３とを備える。シャンク２の形状は、ドリルチャックの形状に適合するように規定される。ボディ３には、２枚の切れ刃を有する先端部４と、先端部４の後方に連なり、切削屑を排出するための溝５及びランド６が設けられる。
【００２２】
図２に示すように、先端部４は、最も先端に設けられ、主として穿孔対象物に対する位置決めを確実に行うために役立つ先端位置決め部７と、その後方に連なり、穿孔を設けるための主たる切削を行うメイン切削部８とで構成される。
【００２３】
先端位置決め部７は、穿孔対象物の穿孔位置に位置決めされた先端位置決め部７を穿孔対象物内に侵入させて穿孔位置を確保する切削を行うための先端切れ刃９を有する。メイン切削部８は、先端切れ刃９の後方に連なるメイン切れ刃１０を有する。すなわち、先端部４の２枚の切れ刃のそれぞれは、最も先端の先端切れ刃９と、その後方のメイン切れ刃１０とで構成される。
【００２４】
図３のように、ドリル１の先端部４をドリル１の軸方向（以下、単に「軸方向」という。）に沿って見た場合、先端切れ刃９は、メイン切れ刃１０に対して傾いている。図２において先端切れ刃９の成す角α１は、先端切れ刃９の先端角を示している。
【００２５】
典型的には、図２の正面図において先端切れ刃９の成す角（先端角）α１は、ほぼ４０°である。図４の平面図において先端切れ刃９の成す角α２は、ほぼ２６°である。また、図５のように、先端切れ刃９の逃げ角θｃは、ほぼ２０°である。先端切れ刃９のすくい角は、ほぼ０°である。そして、そのすくい面１１は、図２のように、メイン切れ刃１０のすくい面１２に接続している。
【００２６】
メイン切れ刃１０の先端角は、メイン切れ刃１０の前端から後端にかけて減少しており、前端においては、先端切れ刃９の先端角α１よりも大きい鋭角β１を有する。メイン切れ刃１０は、先端側から第１部分１３、第２部分１４及び第３部分１５で構成される。
【００２７】
すなわち、第１部分１３は一定の第１先端角β１を有し、第２部分１４は、第１先端角β１よりも小さい一定の第２先端角β２を有し、第３部分１５は、第２先端角β２又はこれより小さい角度から０°まで連続的に変化する第３先端角を有する。先端位置決め部７や、メイン切れ刃１０の第１部分１３、第２部分１４及び第３部分１５の寸法、第１先端角β１や第２先端角β２の値は、次の点を考慮して選定される。
【００２８】
すなわち、大腿骨などに進入角度（ドリルの軸と大腿骨の軸又は表面とのなす角度）が３０°程度の強斜位で穿孔を行う場合において、先端切れ刃９を有する先端位置決め部７でドリル１を大腿骨の穿孔位置に位置決めするときに、メイン切れ刃１０が大腿骨に接触しないように選定される。また、かかる強斜位での穿孔が効率的かつ精度よく行われるように選定される。
【００２９】
典型的には、例えば、図２で見た場合の先端切れ刃９の角度α１は４０°、先端位置決め部７の軸方向の長さＬは、２．３ｍｍとされる。メイン切れ刃１０の第１部分１３の最大直径ａは３．２ｍｍ、第１先端角β１は７７°、第２部分１４の最大直径ｂは４．０ｍｍ、第２先端角β２は４８°とされる。第３部分１５は、半径Ｒが５．０ｍｍの球帯の形状を有し、最大直径ｃは４．５ｍｍとされる。
【００３０】
かかる各部の寸法や角度としては、上記の値に限定されることはなく、本発明に従うことを条件として、切削対象や用途に応じて好ましい値が用いられる。すなわち、先端切れ刃９の先端角α１は、概ね２０°〜５０°の範囲の値が該当する。医療用に使用される場合、ドリル１は、例えばステンレス鋼で形成されるので、先端角α１が２０°以上であれば、先端切れ刃９が破損する恐れはない。
【００３１】
ドリル１の進入角度をさほど小さくする必要がない場合や、ドリル１の先端がさほど鋭利である必要がない場合には、先端角α１の好ましい範囲は３０°〜５０°である。先端角α１が大きいほど刃先のつぶれを回避できるからである。また、ドリル１先端のある程度の鋭利さを担保するとともに、刃先のつぶれ防止を考慮した場合には、先端角α１のより好ましい範囲は３５°〜４５°であり、さらに好ましい範囲は３８°〜４２°である。
【００３２】
また、第１先端角β１の好ましい範囲は６０°〜９０°であり、より好ましい範囲は７２°〜８２°であり、さらに好ましい範囲は７５°〜７９°である。第２先端角β２の好ましい範囲は、４３°〜５３°であり、より好ましい範囲は、４６°〜５０°である。
【００３３】
また、メイン切れ刃１０の逃げ面１６についての径方向の２番逃げ角は２０°、３番逃げ角は４０°、軸方向の２番逃げ角は１０°、３番逃げ角は１５°とされる。メイン切れ刃１０のすくい角としては、例えば０°前後の角度が選択される。ただし、逃げ角やすくい角は、これらの値に限定されず、穿孔効率、操作性、穿孔精度などを考慮して、任意に決定される。
【００３４】
他の部分の寸法の典型的な値として、ねじれ角θは２０°、ウエブ厚は０．９ｍｍ、ウエブテーパは１／１００、溝幅比は１：１．２とされる。また、図３のように、マージン幅ｔは０．４ｍｍ、二番取り深さｄは０．１ｍｍとされる。ドリル１は、典型的には、右刃右ねじれ形式のものであってバックテーパは無い。
【００３５】
この構成において、ドリル１を取り付けたハンドドリルを用いて穿孔対象物としての大腿骨に穿孔を設ける場合には、穿孔対象物の穿孔位置にドリル１の先端位置決め部７を当てて、位置決めする。このとき、強斜位で穿孔を行う場合でも、メイン切れ刃１０が大腿骨に接触せず、かつ先端位置決め部７の先端切れ刃９の先端角α１は４０°程度であるため、容易に位置決めを行うことができる。
【００３６】
その後、ドリル１を回転させると、まず、先端位置決め部７の先端切れ刃９により穿孔の切削が開始される。このとき、メイン切れ刃１０はまだ穿孔対象物に接触しておらず、メイン切れ刃１０によって穿孔対象物が蹴られることが無いので、先端位置決め部７は穿孔位置から逸脱することなく穿孔対象物に食い込んで穿孔位置を確保する。
【００３７】
先端切れ刃９による切削がある程度進行すると、メイン切れ刃１０が大腿骨に接触し、メイン切れ刃１０が切削に寄与し始める。このとき、先端位置決め部７が大腿骨に侵入してドリル１の位置を確保しているので、メイン切れ刃１０が穿孔対象物に接触してもドリル１が穿孔位置から逸脱することはない。
【００３８】
そして、メイン切れ刃１０の前端は、上述のように比較的大きいが鋭角である先端角を有するので、その後、メイン切れ刃１０の前端側の部分によって、比較的少ない切削抵抗で効率的に径を拡大しながら切削が進行する。
【００３９】
切削が進行するにしたがって、メイン切れ刃１０の第３部分１５が切削に寄与するようになり、その小さい先端角により、精度の高い切削が順次行われてゆく。したがって、切削が完了しときには、精度の高い穿孔が完成する。
【００４０】
以上のように、本実施形態によれば、先端角が４０°程度の先端切れ刃９を有する先端位置決め部７によって、穿孔位置に対して確実にドリル１を位置決めし、穿孔位置を確保することができる。
【００４１】
その際に、メイン切れ刃１０の先端角が上述のように減少しているので、穿孔対象物に対して強斜位で穿孔を行う場合でも、メイン切れ刃１０が穿孔対象物に接触することによりドリル１の位置決めが妨げられたり、ドリル１が穿孔位置から逸脱したりするのを防止することができる。
【００４２】
したがって、大腿骨などを対象として強斜位で穿孔を行う場合でも、支障なく穿孔を開始することができる。そして、一旦、ドリル１が位置決めされて穿孔が開始された後は、先端角が比較的大きいメイン切れ刃１０の前端側の部分により効果的に穿孔を促進するとともに、メイン切れ刃１０の先端角が小さい後端側の部分によって、高い精度で穿孔を仕上げることができる。
【００４３】
また、メイン切れ刃１０を先端角が一定である第１部分１３及び第２部分１４を含んで構成したので、メイン切れ刃１０を容易に加工して形成することができる。
【００４４】
また、メイン切れ刃１０の第３部分においては、先端角が第２部分１４の先端角に等しい値又はこれより小さい値から０°まで連続的に変化するように構成したので、穿孔を高い精度で仕上げることができる。
【００４５】
以上、本発明の実施形態について説明したが、本発明はこれに限定されない。例えば、メイン切れ刃１０の先端角は、メイン切れ刃１０の先端部から後端部にかけて連続的に（全体的に滑らかに）減少させるようにしてもよい。
【００４６】
これによれば、メイン切れ刃１０の先端側で穿孔を効果的に促進させるとともに、メイン切れ刃１０の後端側で穿孔を精密に仕上げることができる。また、メイン切れ刃１０に欠損や摩耗が生じ易い角部が生じないので、メイン切れ刃１０の耐久性を向上させることができる。
【００４７】
また、ドリル１は、大腿骨の穿孔などの医療用に限らず、樹脂や金属などの穿孔についても、好ましく用いることができる。また、医療用として用いる場合においても、大腿骨以外の頭蓋骨や顔の骨、指の骨などを対象として、好ましく用いることができる。
【００４８】
また、ドリル１の各部の寸法や角度は、上述実施形態の値に限定されず、ドリル１の径、用途、被加工物の材質などに応じて種々の値をとり得る。
【符号の説明】
【００４９】
１…ドリル、２…シャンク、３…ボディ、４…先端部、５…溝、６…ランド、７…先端位置決め部、８…メイン切削部、９…先端切れ刃、１０…メイン切れ刃、１１、１２…すくい面、１３…第１部分、１４…第２部分、１５…第３部分、１６…逃げ面。
【図１】
2017222011.tif 000003
【図２】
2017222011.tif 000004
【図３】
2017222011.tif 000005
【図４】
2017222011.tif 000006
【図５】
2017222011.tif 000007
【手続補正書】
【提出日】平成30年4月20日(2018.4.20)
【手続補正１】
【補正対象書類名】特許請求の範囲
【補正対象項目名】請求項１
【補正方法】変更
【補正の内容】
【請求項１】
先端に設けられた先端切れ刃と、該先端切れ刃の後方に接続したメイン切れ刃とを備えたドリルであって、
前記先端切れ刃の先端角は所定の鋭角であり、
前記メイン切れ刃の先端角は、該メイン切れ刃の前端から後端にかけて減少しており、
前記メイン切れ刃の前端の先端角は、前記先端切れ刃の先端角よりも大きい鋭角を有し、
前記先端切れ刃が前記メイン切れ刃に接続している部分は、該先端切れ刃から該メイン切れ刃にかけて前記ドリルの中心軸線から離れる方向に曲折しているドリル。
【手続補正２】
【補正対象書類名】明細書
【補正対象項目名】０００９
【補正方法】変更
【補正の内容】
【０００９】
第１発明のドリルは、
先端に設けられた先端切れ刃と、該先端切れ刃の後方に接続したメイン切れ刃とを備えたドリルであって、
前記先端切れ刃の先端角は所定の鋭角であり、
前記メイン切れ刃の先端角は、該メイン切れ刃の前端から後端にかけて減少しており、
前記メイン切れ刃の前端の先端角は、前記先端切れ刃の先端角よりも大きい鋭角を有し、
前記先端切れ刃が前記メイン切れ刃に接続している部分は、該先端切れ刃から該メイン切れ刃にかけて前記ドリルの中心軸線から離れる方向に曲折していることを特徴とする。
【国際調査報告】
2017222011.tif 000008
2017222011.tif 000009
2017222011.tif 000010
2017222011.tif 000011